(57)【要約】【課題】換気装置本体の天井内への取付けにおいて、容易に取り付けられて、作業時間の短縮をはかることを目的とする。【解決手段】箱状の本体１の少なくとも一つの側面に室内空気排気口２と、外気吸込口３を有し、室内空気排気口２、外気吸込口３を設けていない側面のひとつを仮取付面２０とし、この仮取付面２０の両端上部に仮固定孔７を設け、設置する天井内壁面６に予め固定された螺子８に仮固定孔７を引掛け、仮取付面２０を天井内壁面６に押し付けるように本体１の仮固定をし、この状態で、天井内壁面６とこの天井内壁面６に対向する壁面に本体１下部に設けた屋外側取付部材１２と給気側取付部材１３を固定して本体１を固定するので、本体１の住宅天井内への設置施工を容易に行うことが可能となる。【選択図】図１
2013108721.tif 000002
【特許請求の範囲】
【請求項１】
箱状の本体の少なくとも一つの側面に排気口、吸込口を有した換気装置において、
前記排気口、前記吸込口を設けていない側面のひとつを仮取付面とし、
この仮取付面の両端上部に仮固定孔を設け、
設置する天井内の壁面に予め固定された螺子に前記仮固定孔を引掛け、
前記仮取付面を前記壁面に押し付けるように前記本体の仮固定をし、
この状態で、前記壁面とこの壁面に対向する壁面に前記本体下部に設けた取付部材を固定して本体を固定する換気装置。
【請求項２】
前記仮固定孔は本体と一体に構成することを特徴とした請求項１記載の換気装置。
【請求項３】
前記仮固定孔は、螺子穴よりも大きな楕円形状になっていることを特徴とした請求項１または２に記載の換気装置。
【請求項４】
前記取付部材は、
前記仮取付面に設けた取付孔と、
前記本体から前記仮取付面とは反対方向に突出する棒状取付部材で構成し、
この棒状取付部材の先端を前記仮取付面を固定した壁面に対向する壁面に固定する請求項１から３に記載の換気装置。
【請求項５】
前記棒状取付部材は、前記本体からスライドして突出し、前記仮取付面を固定した壁面に対向する壁面にその先端を当接させる請求項４記載の換気装置。
【発明の詳細な説明】
【技術分野】
【０００１】
本発明は、換気装置を天井内に固定する方法に関する。
【背景技術】
【０００２】
従来、住宅の天井内への設置を意図した熱交換形を含む種々の換気装置の取付け方法としては、装置本体を構成する複数の部材を施工の際に組み合わせながら設置するといった方法が事例として挙げられる（例えば、特許文献１参照）。
【０００３】
このような施工方法について図９を参照し説明すると、換気装置はファンモータ部や熱交換部等を有する本体１０１と外気吸込アダプタ部１０２、排気アダプタ部１０３、室内給気アダプタ部１０４、及び装置本体周囲のアダプタ保持部材１０５とが別部材となっている。そして、外気吸込アダプタ部１０２と排気アダプタ部１０３は、室外アダプタ部材１０６として一体に形成されている。室内給気アダプタ部１０４は、室内アダプタ部材１０７に一体となっている。この換気装置の天井内への取付け方法としては、まず、室外アダプタ部材１０６と室内アダプタ部材１０７を予め天井内の木枠等に取付ける。さらに装置本体のアダプタ保持部材１０５で室外アダプタ部材１０６及び室内アダプタ部材１０７に連結する。これにより、室外アダプタ部材１０６及び室内アダプタ部材１０７は倒れ込み等がなくなり、本体１０１を各アダプタ部材にはめ込むことができる。このような方法より、天井内に固定できるものである。
【先行技術文献】
【特許文献】
【０００４】
【特許文献１】特開２００４−２１２９４３号公報
【発明の概要】
【発明が解決しようとする課題】
【０００５】
前記特許文献１のような換気装置では、天井内へ本体を取付ける際、各部材を確実に固定しなければならないため作業量が多く、短時間で施工を完了できない場合があるといった課題を有していた。
【０００６】
そこで本発明では、前記の天井内へ設置する換気装置において、天井内壁面への取付け部材が全て一体となった換気装置により、装置本体の天井内への取付け作業時間の短縮と重量の大きな装置でも容易に施工することができる換気装置を提供する。
【課題を解決するための手段】
【０００７】
上記課題を解決するために、本発明では、箱状の本体の少なくとも一つの側面に排気口、吸込口を有し、前記排気口、前記吸込口を設けていない側面のひとつを仮取付面とし、この仮取付面の両端上部に仮固定孔を設け、設置する天井内の壁面に予め固定された螺子に前記仮固定孔を引掛け、前記仮取付面を前記壁面に押し付けるように前記本体の仮固定をし、この状態で、前記壁面とこの壁面に対向する壁面に前記本体下部に設けた取付部材を固定して本体を固定する換気装置を用いることにより、所期の目的を達成するものである。
【発明の効果】
【０００８】
本発明によって、箱状の本体の少なくとも一つの側面に排気口、吸込口を有し、前記排気口、前記吸込口を設けていない側面のひとつを仮取付面とし、この仮取付面の両端上部に仮固定孔を設け、設置する天井内の壁面に予め固定された螺子に前記仮固定孔を引掛け、前記仮取付面を前記壁面に押し付けるように前記本体の仮固定をし、この状態で、前記壁面とこの壁面に対向する壁面に前記本体下部に設けた取付部材を固定して本体を固定することを特徴としている。この構成により、仮固定によって天井内への本体の取付けが容易になる。すなわち、本体を上に持ち上げ、天井内壁面に予め設けた螺子に本体仮固定面の仮固定孔を掛け、仮固定面側を天井内壁面に仮固定するので、次の固定作業に移ることが容易になるのである。
【図面の簡単な説明】
【０００９】
【図１】本発明の実施の形態１の換気装置と天井内壁面の概要図
【図２】本発明の実施の形態１の換気装置の室内給気部側の仮固定状態を示す斜視図
【図３】同排気及び外気吸込部側の仮固定状態を示す斜視図
【図４】同仮固定壁面と反対の壁面への固定を示す斜視図
【図５】同仮固定壁面と反対の壁面への固定を示す斜視図
【図６】室内空気排気口の換気対象空間天井への固定を示す斜視図
【図７】同換気対象空間天井への固定を示す斜視図
【図８】同換気対象空間天井への固定を示す斜視図
【図９】従来の天井内への換気装置の施工方法を示す斜視図
【発明を実施するための形態】
【００１０】
本発明における請求項１記載の換気装置は、箱状の本体の少なくとも一つの側面に排気口、吸込口を有し、前記排気口、前記吸込口を設けていない側面のひとつを仮取付面とし、この仮取付面の両端上部に仮固定孔を設け、設置する天井内の壁面に予め固定された螺子に前記仮固定孔を引掛け、前記仮取付面を前記壁面に押し付けるように前記本体の仮固定をし、この状態で、前記壁面とこの壁面に対向する壁面に前記本体下部に設けた取付部材を固定して本体を固定することにより、仮固定によって天井内への本体の取付けが容易になる。
【００１１】
また仮固定孔の形状を螺子穴よりも大きな楕円形状にすることで、仮固定の際、前記天井内壁面に固定された螺子のピッチがずれても仮固定孔に引掛けることが可能となる。
【００１２】
また、側面の下部に本体の正式固定孔を有することで、本体上部まで手を上げることがないため施工性の向上が可能となる。
【００１３】
また装置本体に対して、本体枠を一体部品として仮固定孔を構成することによって、部品点数の削減によるコストダウンが可能となる。
【００１４】
以下、本発明の実施の形態について図１から図９を参照しながら説明する。
【００１５】
（実施の形態１）
本発明における換気装置５０には、図１、図２に示すように、箱形状の本体１の一側面に室内から室外へ空気を排出する室内空気排気口２と、室外から室内へ空気を吸込む外気吸込口３が設けられている。そして、その対向する面には、室外空気を室内へ給気する室内給気口４が設けられている。底面には、室内天井面に露出する室内空気吸込口５が設けられる。図示しないが、本体１の内部には、外気を室内へ給気するファン（給気ファン）と室内空気を室外へ排出するためのファン（排気ファン）が備えられている。この給気ファンと排気ファンは１つのモーター軸の両端で連結して、ファンモータ部を構成している。また、本体１内には、外気と室内空気を熱交換するための熱交換素子を外気吸込口３と室内空気吸込口５の直後の位置に配置した構成となっている。室内空気排気口２を設けた側面に隣接した側面のうちのひとつを仮取付面２０とする。この仮取付面２０の両端上部には、本体１を天井内壁面６に仮固定するための仮固定孔７が本体１と一体となって設けられている。この仮固定孔７は、垂直方向に対して長い長穴の形状である。
【００１６】
そして、本体１の室内空気排気口２、外気吸込口３を設けた側面には、仮取付面２０に直交するように伸ばす棒状の取付部材（屋外側取付部材１２）が設けられる。また、室内給気口４を設けた側面には、同じく棒状の取付部材（給気側取付部材１３）が設けられる。この屋外側取付部材１２と給気側取付部材１３を本体１からスライドして伸ばし、天井内の略平行な壁面（あるいは梁。以降、天井内壁面６、天井内壁面１１）間に渡すようにして、本体１が固定されるのである。
【００１７】
この換気装置５０を取付ける天井内壁面６には、本体１の仮固定孔７を引掛けることを目的とした２つの螺子８がねじ込まれている。この螺子８は、仮固定孔７の水平方向のピッチ寸法及び鉛直方向の取付け高さに合わせて取り付けられている。さらに、この螺子８は、天井内壁面６と螺子頭との間に一定のクリアランスを取るように取り付けられる。すなわち、このクリアランスに仮固定孔７を引掛けるようにするのである。
【００１８】
このような構成において、換気装置５０の取付方法について説明する。前述したように、取り付けられる天井内壁面６には、仮固定孔７のピッチに合わせて螺子８が取り付けられている。まず、本体１を上に持ち上げ、天井内壁面６に取り付けた螺子８に本体１に設けた２つの仮固定孔７を引掛ける。この状態で、換気装置５０は仮固定状態となり、作業者は手を離すことができる。ここで仮固定状態について補足すると、仮固定の際、換気装置５０の重心の位置から螺子８が支点となり回転モーメントが働くことになる。そして、天井内壁面６に、仮取付面２０が当接されることになる。さらに、２つの螺子８の耐せん断力が換気装置５０の重量に耐えて仮固定が成立する。
【００１９】
次に、本体１を仮固定後、仮取付面２０の両端下部に設けた２つの螺子穴９に螺子１０を用いて固定することで、天井内壁面６に対して正式固定を行う。ここで仮固定孔７は長穴形状であるため、螺子８が長穴のガイド支持の役割を担うため水平方向へのブレが制限され、より施工が容易になるとともに、本体１の上下方向の位置の微調整ができることになる。
【００２０】
次に、天井内壁面６の反対の天井内壁面１１に対して、本体１より屋外側取付部材１２と給気側取付部材１３を天井内壁面１１まで伸ばす。その屋外側取付部材１２と給気側取付部材１３の先端部分を天井内壁面１１に螺子止めすることによって固定する。ここで屋外側取付部材１２は、本体１の室内空気排気口２と外気吸込口３を有する面に設けられている。また、給気側取付部材１３は室内給気口４を有する面に設けられている。そして、屋外側取付部材１２、給気側取付部材１３は、水平方向にスライドして天井内壁面１１に当接するまで伸ばし、本体１が水平状態になるように取付けを行うことができる。
【００２１】
最後に、換気対象となる居室あるいは通路空間の天井面１４に対する処理を説明する。まず、本体１は、室内空気吸込口５を天井面１４に予め開けておいた開口１５に合わせて固定されている。次に、天井面１４を挟み込むようにしてパネル取付枠１６を４つの螺子１７を用いて室内空気吸込口５に固定する。そして、パネル取付枠１６に対してパネル外装フレーム１８を４つの螺子１７で固定し、パネル外装フレーム１８に対してパネル１９を取付けることで、本発明における換気装置５０の施工が完了する。
【００２２】
上記構成において、本体１を住宅天井内に取付ける際、一方の取付面となる天井内壁面６に対して仮固定孔７を用いて仮固定することにより、少ない作業者で施工を行うことが可能になる。
【００２３】
また、仮固定孔７は、本体１と一体となって設けており部品点数を削減できるため、コストダウンを図ることができる。
【００２４】
また、仮固定孔７の形状は、予め天井内壁面６に設けておいた螺子８よりも大きな楕円形状とすることにより、天井内壁面６に固定した螺子８の固定寸法における螺子ピッチの許容差を加味する。この効果としては、螺子ピッチがすれた場合でも本体１を仮固定することが可能となる。
【００２５】
また、仮取付面２０の両端下部に設けた螺子穴９により、天井内壁面６に本体１を固定する際、本体１の上部まで手を上げることがなく、下部の位置での固定が可能となるため施工性が向上できる。
【００２６】
なお、屋外側取付部材１２と給気側取付部材１３は、本体１側面に設けた構成としたが、本体１の底面に設けても良い。
【００２７】
なお、本発明においては、熱交換形の換気装置を対象に住宅天井内への設置施工方法を明記しているが、天井内への設置さらには換気対象の居室あるいは通路空間の天井面に室内空気吸込口を設ける装置であれば、この限りではない。
【産業上の利用可能性】
【００２８】
本発明における換気装置は、重量の大きなものであっても、仮固定孔により、作業者１人で容易に施工することが可能になる。また仮固定の際、天井内の壁面に固定された螺子の寸法がずれても仮固定の穴に引掛けることが可能である。また仮固定孔の下部に本固定部を設けることにより、本体上部まで手を入れる必要がないため施工が容易となる。また仮固定孔を有する部材と本体枠を一体とすることで、部品数の削減によるコストダウンが可能となる。以上より、本発明における換気装置は、住宅天井内への施工において、重量の大きな装置であっても本体を容易に固定することができ、コストダウンを図ることが可能になるため、前記住宅天井内への設置を意図した熱交換形あるいはこれを備えない換気装置として有用である。
【符号の説明】
【００２９】
１    本体
２    室内空気排気口
５    室内空気吸込口
６    天井内壁面
７    仮固定孔
８    螺子
９    螺子穴
１１  天井内壁面
１２  屋外側取付部材
１３  給気側取付部材
２０  仮取付面
５０  換気装置
【図１】
2013108721.tif 000003
【図２】
2013108721.tif 000004
【図３】
2013108721.tif 000005
【図４】
2013108721.tif 000006
【図５】
2013108721.tif 000007
【図６】
2013108721.tif 000008
【図７】
2013108721.tif 000009
【図８】
2013108721.tif 000010
【図９】
2013108721.tif 000011